(57)【要約】【課題】表示装置と再生装置などとを接続した視聴システムにおいて、ユーザに対する操作性の向上を図る。【解決手段】表示装置としてのＴＶ受信機３０は、オンスクリーン表示する表示形式に従った描画画像の表示側描画データを生成する描画生成部３６を備え、再生装置１０は、ＴＶ受信機３０に表示させるための表示形式に従った描画画像の再生側描画データを生成する描画生成部１６を備え、描画生成部１６は、描画生成部３６の表示形式情報を接続ケーブル５０を介して受け取り、受け取った表示側の表示形式情報に基づく表示形式の再生側描画データを生成し、再生装置１０が、生成した再生側描画データを含むコンテンツデータを接続ケーブル５０を介してＴＶ受信機３０に供給し、ＴＶ受信機３０が、供給された再生側描画データに基づいた描画画像を提示する。【選択図】図１
2008288823.tif 000002
【特許請求の範囲】
【請求項１】
描画画像を所定の表示形式でオンスクリーン表示する表示装置と、再生するコンテンツのコンテンツデータを含むデータを前記表示装置に供給する再生装置とを、通信手段を介してデータ接続した視聴システムであって、
前記表示装置は、
オンスクリーン表示する前記表示形式に従った描画画像の表示側描画データを生成する表示側描画生成部を備え、
前記再生装置は、
前記表示装置に表示させるための前記表示形式に従った描画画像の再生側描画データを生成する再生側描画生成部を備え、
前記再生側描画生成部は、前記表示側描画生成部の前記表示形式に関する情報である表示側の表示形式情報を前記通信手段を介して受け取り、受け取った前記表示側の表示形式情報に基づく表示形式の再生側描画データを生成し、
前記再生装置が、生成した再生側描画データを含むコンテンツデータを前記通信手段を介して前記表示装置に供給し、
前記表示装置が、前記供給された再生側描画データに基づいた描画画像を提示することを特徴とする視聴システム。
【請求項２】
前記表示側描画生成部は、前記再生側描画生成部の前記表示形式に関する情報である再生側の表示形式情報を前記通信手段を介して受け取り、受け取った前記再生側の表示形式情報に基づく表示形式の表示側描画データを生成し、
前記表示装置が、生成した表示側描画データに基づいた描画画像を提示することを特徴とする請求項１に記載の視聴システム。
【請求項３】
前記表示装置は、リモコン装置からのリモコン信号を受信し、受信した前記リモコン信号が前記表示装置と前記再生装置とのいずれの操作に対するリモコン信号であるかを判定する機能を備え、
前記表示装置が、前記再生装置への操作に対するリモコン信号であると判定すると、前記再生側描画生成部に対する前記再生側描画データの生成指示である指示情報を含め、受信したリモコン信号の指示情報を、前記通信手段を介して前記再生装置に通知し、
前記再生装置が、前記通信手段を介して通知された前記指示情報に応じた処理を実行することを特徴とする請求項１または請求項２に記載の視聴システム。
【請求項４】
前記表示形式情報は、前記描画画像をオンスクリーン表示する位置の情報、前記描画画像の大きさの情報、前記描画画像に表示される文字サイズの情報および前記描画画像に表示される内容の詳細度の情報の少なくともいずれか１つの情報を含む情報であることを特徴とする請求項３に記載の視聴システム。
【請求項５】
前記描画画像は、対応する装置の機能を選択的に設定するためのメニュー画面の画像を含むことを特徴とする請求項４に記載の視聴システム。
【発明の詳細な説明】
【技術分野】
【０００１】
本発明は、テレビジョン受信機などの映像表示機能を有した表示装置とそれに接続される記録再生装置などの外部装置とにより構成される視聴システムに関し、特に、表示装置のリモコン装置のみを用いて外部装置の操作も行う視聴システムに関する。
【背景技術】
【０００２】
近年、マルチメディア関連技術の進展により、コンテンツデータを圧縮符号化したデジタルデータを処理する装置や方法に関する技術が急速に進展している。とりわけ、記録メディアとしてのハードディスク、光ディスクあるいはメモリカードなど、これら記録メディアの大容量化がめざましく、映像信号や音声信号を記録する民生用の映像機器分野においても、ビデオデータのような大容量のデジタルデータとして記録して扱うことが一般的となっている。このため、録画再生装置であるＤＶＤデコーダをはじめ各種のＡＶ（Ａｕｄｉｏ  Ｖｉｓｕａｌ）機器が提供されており、映像データや音声データを扱う機器の種類も豊富となっている。
【０００３】
一方、このようなＡＶ機器の種類の増加に伴って、テレビジョン（以下、適宜、「ＴＶ」と呼ぶ）受信機においても、従来のアナログ映像入力端子などに加えて、例えば、マルチメディアインタフェースと呼ばれるようなデジタルインタフェース端子を装備することが一般的となりつつある。このため、ＴＶ受信機と外部のＡＶ機器とを通信手段によりデータ接続した構成の視聴システムに関する技術が提案されている。また、このような視聴システムに関する技術の１つとして、ＴＶ受信機に対して送出されたリモコン信号を、通信手段を介してＡＶ機器側に転送し、ＡＶ機器がリモコン信号に応じた処理を実行するような技術が提案されている（例えば、特許文献１参照）。
【０００４】
図９は、特許文献１のような、ＴＶ受信機と情報処理装置とを通信手段によりデータ接続した従来のＴＶ情報表示システムの構成図である。図９において、ＴＶ受信機９２と情報処理装置９３とは情報通信線９４を介して接続されている。
【０００５】
ＴＶ受信機９２は、放送受信部９２６で受信したＴＶ放送の映像を情報表示部９２５の表示画面に表示するとともに、ＴＶ受信機９２に備えたＰｉｎＰ（Ｐｉｃｔｕｒｅ  ｉｎ  Ｐｉｃｔｕｒｅ）の機能を利用して、または、入力を完全に情報処理装置９３からの入力に切り替えて情報処理装置９３から入力される画像情報を表示画面上の映像の一部に表示できる。リモコン部９７は、ユーザが操作するリモコン装置のユーザ操作に対応したリモコンコードを受け取る。情報通信部９２７は、情報通信線９４を介して情報処理装置９３と通信を行う。また、情報処理装置９３は、情報収集部９３１によりインターネットなどのネットワークを介して、情報を収集する装置である。映像生成部９３２は、情報収集部９３１により収集した情報に基づく映像情報を生成する。映像出力部９３３は、映像生成部９３２が生成した映像情報を画像情報とし、情報通信線９４を介して、ＴＶ受信機９２の情報表示部９２５に出力する。情報通信部９３４は、情報通信線９４を介してＴＶ受信機９２と通信を行う。
【０００６】
このように構成された従来のＴＶ情報表示システムは、次のような動作を行う。まず、ＴＶ受信機９２は、情報通信線９４を介し、情報処理装置９３に対して、視聴中のチャンネルコード情報を含むＴＶ操作情報および内部設定情報を通知する。情報処理装置９３は、受け取ったＴＶ操作情報および内部設定情報に基づきそのチャンネル番組などを検索し、関連情報を取得する。情報処理装置９３は、映像生成部９３２により、関連情報に基づく番組関連の画像情報を生成する。また、情報処理装置９３において、出力する画像情報の種別に応じて、自律的に収集した情報に基づくその表示位置やサイズ情報を生成する。映像生成部９３２で生成された画像情報は、映像出力部９３３から情報通信線９４を介して情報表示部９２５に供給される。また、情報処理装置９３において生成された表示位置やサイズ情報は、情報通信部９３４から情報通信線９４を介して情報通信部９２７に通知される。このようにして、情報表示部９２５の表示画面に、情報処理装置９３から供給された画像情報の画像を合成した映像が表示される。すなわち、従来のＴＶ情報表示システムは、情報処理装置９３が、リモコン装置に対するユーザ操作やそれによるＴＶ受信機９２内部の設定の情報に基づいた内容の画像情報を生成し、その画像情報がＴＶ受信機９２の表示画面上の一部に子画面などとして表示される。このように、従来のＴＶ情報表示システムによれば、ＴＶ放送の映像と個人的に必要な画像とを、操作の負担なく同時に表示できる。
【特許文献１】特開２００６−３３３１０１号公報
【発明の開示】
【発明が解決しようとする課題】
【０００７】
しかしながら、特許文献１のような従来のＴＶ情報表示システムの場合、画像情報を表示する子画面の内容はＴＶ操作情報や内部設定情報に基づいた内容であるものの、その子画面などを表示する位置、形状やサイズなどに関しては、情報処理装置９３が自律的に収集した情報に基づきＴＶ受信機９２側に指示するような構成であった。このため、ＴＶ受信機９２において、ＴＶ受信機９２の制御下の本来のＰｉｎＰ機能から画像情報表示機能へと切り替えた場合、例えば、本来のＰｉｎＰ機能による子画面の位置やサイズなどが情報処理装置９３から制御される位置やサイズなどへと変更される。より具体的な例として、ＴＶ受信機９２が有する機能により親画面と子画面に異なったチャンネルの映像を表示した状態から、情報処理装置９３による画像情報が子画面に表示されるように変更されたとき、子画面の位置やサイズなども変更される。このような子画面の位置やサイズなどの変更が、ユーザに対して違和感を与えたり、ユーザが位置やサイズなどをもとに戻すような手間が生じるなど、ユーザに対する操作性に関しての課題があった。
【０００８】
特に、ユーザインタフェースのために利用されるメニュー画面をＴＶ受信機にオンスクリーン表示するような視聴システムを構成する場合、特許文献１のような手法に基づく構成では、ＴＶ受信機と外部装置とを切り替えたとき、ＴＶ受信機によるメニュー画面と外部装置によるメニュー画面との位置、形状やサイズなどが異なって表示される可能性が高い。すなわち、ＴＶ受信機と外部装置とが独立してこのようなメニュー画面の位置、形状やサイズなどを設定することになるため、ＴＶ受信機に対するメニュー画面と外部装置に対するメニュー画面とが異なって表示される場合が生じる。このようなそれぞれ異なったメニュー画面は、ユーザに対して違和感を与えたりする。また、例えば、ユーザがＴＶ受信機のメニュー画面を大きく表示するように設定しても、外部装置のメニュー画面を呼び出したときには小さく表示されるような不具合が生じるため、ユーザに対する操作性が低下することとなる。
【０００９】
本発明は、このような課題を鑑みてなされたもので、表示装置と再生装置とがデータ接続された視聴システムにおいて、ユーザに対する操作性の向上を図った視聴システムを提供することを目的とする。
【課題を解決するための手段】
【００１０】
上述したような目的を達成するため、本発明の視聴システムは、描画画像を所定の表示形式でオンスクリーン表示する表示装置と、再生するコンテンツのコンテンツデータを含むデータを表示装置に供給する再生装置とを、通信手段を介してデータ接続した視聴システムであって、表示装置は、オンスクリーン表示する表示形式に従った描画画像の表示側描画データを生成する表示側描画生成部を備え、再生装置は、表示装置に表示させるための表示形式に従った描画画像の再生側描画データを生成する再生側描画生成部を備え、再生側描画生成部は、表示側描画生成部の表示形式に関する情報である表示側の表示形式情報を通信手段を介して受け取り、受け取った表示側の表示形式情報に基づく表示形式の再生側描画データを生成し、再生装置が、生成した再生側描画データを含むコンテンツデータを通信手段を介して表示装置に供給し、表示装置が、供給された再生側描画データに基づいた描画画像を提示する構成である。
【００１１】
また、本発明の視聴システムは、表示側描画生成部が、再生側描画生成部の表示形式に関する情報である再生側の表示形式情報を通信手段を介して受け取り、受け取った再生側の表示形式情報に基づく表示形式の表示側描画データを生成し、表示装置が、生成した表示側描画データに基づいた描画画像を提示する構成である。
【００１２】
また、本発明の視聴システムは、表示装置が、リモコン装置からのリモコン信号を受信し、受信したリモコン信号が表示装置と再生装置とのいずれの操作に対するリモコン信号であるかを判定する機能を備え、表示装置が、再生装置への操作に対するリモコン信号であると判定すると、再生側描画生成部に対する再生側描画データの生成指示である指示情報を含め、受信したリモコン信号の指示情報を、通信手段を介して再生装置に通知し、再生装置が、通信手段を介して通知された指示情報に応じた処理を実行する構成である。
【００１３】
また、本発明の視聴システムは、表示形式情報を、描画画像をオンスクリーン表示する位置の情報、描画画像の大きさの情報、描画画像に表示される文字サイズの情報および描画画像に表示される内容の詳細度の情報の少なくともいずれか１つの情報を含む情報とした構成である。
【００１４】
また、本発明の視聴システムは、描画画像が、対応する装置の機能を選択的に設定するためのメニュー画面の画像を含む構成である。
【発明の効果】
【００１５】
本発明の視聴システムによれば、メニュー画面のような描画画像の生成において、再生側描画生成部が、表示側描画生成部の表示形式に基づいた表示形式の描画データを生成するため、表示装置と再生装置との描画画像の位置、形状やサイズなどを揃えることが可能となり、これによって、ユーザが認識しやすいメニュー画面を表示できるとともに、ユーザに対する操作性の向上を図った視聴システムを提供することができる。
【発明を実施するための最良の形態】
【００１６】
以下、本発明の実施の形態について図面を参照しながら詳細に説明する。
【００１７】
（実施の形態）
図１は、本発明の実施の形態における視聴システムの構成を示すブロック図である。
【００１８】
図１に示すように、本実施の形態の視聴システムは、受信したＴＶ放送の映像や音声をユーザに提示するＴＶ受信機３０、ＤＶＤやメモリカードなど記録メディア２０を再生し映像信号や音声信号として出力する再生装置１０、およびＴＶ受信機３０と再生装置１０とをデータ接続する接続ケーブル５０を備える。本実施の形態では、ユーザインタフェースなどのための描画画像を所定の表示形式でオンスクリーン表示する表示装置をＴＶ受信機３０とし、再生するコンテンツデータを含むデータをＴＶ受信機３０に供給する再生装置を再生装置１０とし、通信手段を接続ケーブル５０とした一例を挙げて説明する。
【００１９】
また、本実施の形態では、ＴＶ受信機３０がデジタル外部入力端子を備えており、再生装置１０で再生された映像信号や音声信号が、デジタル信号であるコンテンツデータとして、接続ケーブル５０に含まれるＡＶケーブル５７を介し、デジタル外部入力端子に供給される一例を挙げて説明する。このような、ＡＶ機器間をデジタル接続するようなデジタルインタフェースとしては、例えばＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格などがある。なお、本実施の形態では、ＴＶ受信機３０がデジタル外部入力端子を備えた一例を挙げて説明するが、アナログの外部入力端子などを備えた構成であってもよい。
【００２０】
まず、図１に示す再生装置１０は、ユーザ操作を受け付けるユーザ操作部１９１と、装置全体を制御するとともに各種情報を保持する制御部１９と、記録メディア２０を再生し映像データや音声データなどを出力する再生部１１と、再生側描画データを生成する再生側描画生成部としての描画生成部１６と、映像データと描画データとを合成し合成映像データを出力する合成部１５と、合成映像データや音声データをコンテンツデータとして外部出力するＡＶデータインタフェース部（以下、「ＡＶデータＩ／Ｆ部」と呼ぶ）１７と、コマンドなどの制御データにより相手側の機器と通信する制御データインタフェース部（以下、「制御データＩ／Ｆ部」と呼ぶ）１８とを備えている。
【００２１】
図１において、ユーザ操作部１９１は、装置に設置された操作部であり、ユーザ操作によって、再生装置１０の動作に関する指示を受け付ける。ユーザ操作部１９１は、受け付けた指示に対応する指示情報を制御部１９に通知する。制御部１９は、ユーザ操作部１９１から指示情報が通知されると、指示情報を解析し、指示情報に応じて装置内部の各部を制御するなどの処理を行う。
【００２２】
また、制御部１９には、制御データＩ／Ｆ部１８からコマンドなどを含む制御データが通知されるとともに、制御部１９は、コマンドなどを含む制御データを制御データＩ／Ｆ部１８に通知する。すなわち、図１に示すように、制御データＩ／Ｆ部１８は、接続ケーブル５０に含まれる制御ケーブル５８を介して、ＴＶ受信機３０とデータ接続されている。これによって、ＴＶ受信機３０から制御データＩ／Ｆ部１８へと、再生装置１０を制御するなどの目的で各種のコマンドや情報などが通知される。制御データＩ／Ｆ部１８は受け取った制御データを制御部１９に通知し、制御部１９は、例えば、受け取った制御データに含まれるコマンドに従った処理を実行する。また、逆に、制御部１９が生成したＴＶ受信機３０に対する制御データなどは、制御部１９から、制御データＩ／Ｆ部１８および制御ケーブル５８を介して、所定の形式でＴＶ受信機３０に送出される。また、特に、本視聴システムでは、リモコン装置４０からＴＶ受信機３０が受け取った特定のリモコンコードも、制御ケーブル５８および制御データＩ／Ｆ部１８を介して、制御部１９に通知される。本視聴システムは、このような特定のリモコンコードが所定の形式でＴＶ受信機３０から再生装置１０へと通知される。
【００２３】
再生部１１は、制御部１９からの指示に従って、再生装置１０に装着された記録メディア２０を再生する。再生部１１で再生された音声データはＡＶデータＩ／Ｆ部１７に供給され、また映像データは合成部１５に供給される。なお、本実施の形態では、このような記録メディア２０の再生のみの機能を備えた再生装置１０の例を挙げて説明するが、記録メディア２０にコンテンツデータなどを記録する機能を備えた記録再生装置であってもよく、また、さらに撮影機能をも備えたビデオカメラ装置やデジタルカメラ装置であってもよく、また、装置がコンテンツデータを生成するようなパーソナルコンピュータやＴＶゲーム装置であってもよく、また、ＴＶ放送などの受信のみの機能を備えたチューナ装置やセットトップボックス装置などであってもよい。さらには、音声データのみを再生したり生成したりするオーディオ装置などであってもよい。
【００２４】
描画生成部１６は、再生部１１で再生された映像上にオンスクリーン表示するための描画画像に対応した再生側描画データ（以下、適宜、単に「描画データ」と呼ぶ）を生成する。このような描画画像として、例えば、ユーザインタフェースのためのメニュー画面、番組一覧を提示するＥＰＧ（Ｅｌｅｃｔｒｉｃ  Ｐｒｏｇｒａｍ  Ｇｕｉｄｅ、電子番組表）画面、操作の一覧を提示する操作一覧表画面などの画像が含まれる。描画生成部１６は、制御部１９からの指示に従って、これらの描画データを生成する。また、描画生成部１６は、制御部１９から再生側の表示形式情報を受け取り、表示形式情報に応じた表示形式で描画画像をオンスクリーン表示する。このような表示形式情報は、描画画像をオンスクリーン表示するときの表示形式に関する情報であり、描画画像の表示位置、描画画像のサイズや形状、描画画像内の文字サイズおよび描画画像内の表示内容種別などを含む情報である。このように、描画生成部１６は、再生側描画生成部として、オンスクリーン表示する表示形式に従った描画画像の描画データを生成する。
【００２５】
合成部１５は、制御部１９から合成の指示が通知されると、再生部１１からの映像データと描画生成部１６からの描画データとを表示形式情報に応じて合成し、映像に描画画像がオンスクリーン表示されるような合成映像データを出力する。なお、合成部１５は、制御部１９から合成の指示が通知されていないときには、再生部１１からの映像データを合成映像データとして出力する。また、再生装置１０が音声データのみを再生する場合には、制御部１９から合成の指示が通知されると、映像データを含まない描画データのみの合成映像データとして出力する。
【００２６】
ＡＶデータＩ／Ｆ部１７は、合成部１５からの合成映像データと再生部１１からの音声データとをコンテンツデータとして外部出力する。図１に示すように、ＡＶデータＩ／Ｆ部１７は、接続ケーブル５０に含まれるＡＶケーブル５７を介して、ＴＶ受信機３０とデータ接続されている。これによって、ＡＶデータＩ／Ｆ部１７からＴＶ受信機３０へと、コンテンツデータが送出される。
【００２７】
次に、図１に示すＴＶ受信機３０は、ユーザ操作を受け付けるユーザ操作部３９１と、リモコン装置４０によるユーザ操作を受け付けるリモコン受信部３４と、受信機全体を制御するとともに各種情報を保持する制御部３９と、コマンドなどの制御データにより相手側の機器と通信する制御データＩ／Ｆ部３８と、外部から供給されたコンテンツデータを取り込むＡＶデータＩ／Ｆ部３７と、ＴＶ放送を受信しＴＶ放送のコンテンツデータを復元するチューナ部３１と、チューナ部３１とＡＶデータＩ／Ｆ部３７とのコンテンツデータを制御部３９の指示により切り替えて映像データおよび音声データとして出力する切替部３２と、表示側描画データを生成する表示側描画生成部としての描画生成部３６と、映像データと描画データとを合成し合成映像データを出力する合成部３５と、音声データおよび合成映像データをそれぞれ視聴できる信号に変換する提示処理部３３と、音声を出力するスピーカ４１と、映像を表示するディスプレイ４２とを備えている。なお、本実施の形態では、チューナ部３１を備えたＴＶ受信機３０の一例を挙げて説明するが、チューナ部３１のような放送受信機能を備えず、映像の提示機能を少なくとも備えた表示装置であってもよい。
【００２８】
図１において、ユーザ操作部３９１は、ＴＶ受信機３０本体に設置された操作部であり、ユーザ操作によって、ＴＶ受信機３０の動作に関する指示を受け付ける。ユーザ操作部３９１は、受け付けた指示に対応する指示情報を制御部３９に通知する。また、リモコン受信部３４は、ユーザがリモコン装置４０を操作することによって、ＴＶ受信機３０の動作に関する指示を受け付ける。すなわち、ユーザがリモコン装置４０を操作すると、リモコン装置４０は、その操作に応じたリモコンコードを示すリモコン信号を送信する。リモコン受信部３４は、このようなリモコン信号を受け取り、リモコン信号が示すリモコンコードを指示情報として制御部３９に通知する。
【００２９】
リモコン装置４０には、例えば、「選局」「入力切替」「メニュー表示」「メニュー閉じる」などのキーや、「上」「下」「右」「左」「決定」「戻る」のようなメニュー画面操作に利用するキーなどが配置されている。ユーザがこれらキーを押下することで、そのキーに対応したリモコンコードが制御部３９に通知される。
【００３０】
制御部３９は、ユーザ操作部３９１からの指示情報や、リモコン受信部３４からの指示情報であるリモコンコードが通知されると、指示情報を解析し、指示情報に応じて受信機内部の各部を制御するなどの処理を行う。
【００３１】
また、制御部３９には、制御データＩ／Ｆ部３８からコマンドなどを含む制御データが所定の形式で通知されるとともに、制御部３９は、コマンドなどを含む制御データを制御データＩ／Ｆ部３８に通知する。すなわち、図１に示すように、制御データＩ／Ｆ部３８は、接続ケーブル５０に含まれる制御ケーブル５８を介して、再生装置１０とデータ接続されている。これによって、制御データＩ／Ｆ部３８から再生装置１０へと、再生装置１０を制御するなどの目的で各種のコマンドや情報などが通知される。このように、制御部３９は、受信機内の各部を制御するとともに、リモコンコードなどの指示情報を解析した結果、再生装置１０側の制御などが必要であると判断すると、制御データを、制御データＩ／Ｆ部３８および制御ケーブル５８を介して、再生装置１０に送出する。また、逆に、制御データＩ／Ｆ部３８は再生装置１０から受け取った制御データを制御部３９に通知する。
【００３２】
また、特に、本視聴システムでは、リモコン装置４０から受け取った特定のリモコンコードも、制御データＩ／Ｆ部３８および制御ケーブル５８を介して、所定の形式で再生装置１０に通知する。すなわち、制御部３９は、リモコン受信部３４から通知されたリモコンコードを解析し、このリモコンコードが再生装置１０に対するリモコンコードであると特定すると、このリモコンコードを制御データＩ／Ｆ部３８、制御ケーブル５８を介して再生装置１０へと送出する。また、再生装置１０において、制御部１９が、制御部３９からのこのようなリモコンコードを受け取ると、そのリモコンコードに対応した処理や制御を実行する。
【００３３】
このように、本視聴システムにおいて、ＴＶ受信機３０は、受信したリモコン信号がＴＶ受信機３０と再生装置１０とのいずれの操作に対するリモコン信号であるかを判定する機能を備えている。そして、ＴＶ受信機３０は、再生装置１０への操作に対するリモコン信号であると判定すると、例えば描画生成部１６に対する描画データの生成指示である指示情報などを含め、受信したリモコン信号の指示情報を、接続ケーブル５０を介して再生装置１０に通知する。また、再生装置１０は、接続ケーブル５０を介して通知された指示情報に応じた処理を実行する。本視聴システムは、このような構成としているため、ＴＶ受信機３０に向けてのリモコン装置４０ひとつのみの操作により、ＴＶ受信機３０に対するとともに、再生装置１０に対する操作や各種の設定などが容易に行えるシステムを実現している。
【００３４】
切替部３２は、制御部３９の指示に応じて、チューナ部３１とＡＶデータＩ／Ｆ部３７とのコンテンツデータを切り替える。さらに、切替部３２は、切り替えにより選択したコンテンツデータを映像データおよび音声データとして出力する。すなわち、ユーザがリモコン装置４０の「入力切替」キーを押すと、リモコン装置４０は、入力切替の操作に対応したリモコンコードのリモコン信号を送信する。このリモコンコードはリモコン受信部３４を介して制御部３９に通知される。制御部３９は、通知されたこのリモコンコードが入力切替の指示であると判定し、切替部３２によるコンテンツデータの選択を切り替えるように制御する。
【００３５】
描画生成部３６は、ディスプレイ４２に表示する映像上にオンスクリーン表示するための描画画像に対応した表示側描画データ（以下、適宜、単に「描画データ」と呼ぶ）を生成する。このような描画画像として、例えば、ユーザインタフェースのためのメニュー画面、番組一覧を提示するＥＰＧ（Ｅｌｅｃｔｒｉｃ  Ｐｒｏｇｒａｍ  Ｇｕｉｄｅ、電子番組表）画面、コンテンツの一覧画面、および操作の一覧を提示する操作一覧表画面などの画像が含まれる。描画生成部３６は、制御部３９からの指示に従って、これらの描画データを生成する。また、描画生成部３６は、制御部３９から表示側の表示形式情報を受け取り、表示形式情報に応じた表示形式で描画画像をオンスクリーン表示する。このような表示形式情報は、描画画像をオンスクリーン表示するときの表示形式に関する情報であり、描画画像の表示位置、描画画像のサイズや形状、描画画像内の文字サイズおよび描画画像内の表示内容種別などを含む情報である。このように、描画生成部３６は、表示側描画生成部として、オンスクリーン表示する表示形式に従った描画画像の描画データを生成する。
【００３６】
合成部３５は、制御部３９から合成の指示が通知されると、切替部３２からの映像データと描画生成部３６からの描画データとを表示形式情報に応じて合成し、映像に描画画像がオンスクリーン表示されるような合成映像データを出力する。なお、合成部３５は、制御部３９から合成の指示が通知されていないときには、切替部３２からの映像データを合成映像データとして出力する。
【００３７】
提示処理部３３は、切替部３２からの音声データおよび合成部３５からの合成映像データをそれぞれ視聴できる信号に変換し、スピーカ４１およびディスプレイ４２に供給する。スピーカ４１は音声データに対応した音声を出力し、ディスプレイ４２は合成映像データに対応した映像を表示する。
【００３８】
さらに、本視聴システムでは、例えば、制御部３９の指示により切替部３２がコンテンツデータ選択の切り替えを行うとき、制御部３９が切り替えの方向に応じて表示形式情報の送受信の処理を実行することを特徴としている。すなわち、制御部３９が切替部３２に対してチューナ部３１側のコンテンツデータを選択するよう指示したとき、制御部３９は、次のような、制御ケーブル５８を介した制御部１９とのデータ通信を実行する。まず、制御部３９は、制御部１９に対して、再生装置１０側の表示形式情報を送出するよう指示する。制御部１９は、これに応答して、再生装置１０側の表示形式情報を制御部３９に送出する。制御部３９は、制御部１９からの表示形式情報を受け取り、受け取った表示形式情報を、描画生成部３６に対しての新たな表示形式情報として保存する。また、逆に、制御部３９が切替部３２に対してＡＶデータＩ／Ｆ部３７側のコンテンツデータを選択するよう指示したとき、制御部３９は、次のような、制御ケーブル５８を介した制御部１９とのデータ通信を実行する。まず、制御部３９は、制御部１９に対して、ＴＶ受信機３０側の表示形式情報を送出する。制御部１９は、これに応答して、送出された表示形式情報を受け取り、受け取った表示形式情報を、描画生成部１６に対しての新たな表示形式情報として保存する。
【００３９】
このように、本視聴システムは、例えば、切替部３２の切り替えに応じて、ＴＶ受信機３０と再生装置１０との間でそれぞれの最終の表示形式情報のやり取りを実行する。すなわち、再生側の描画生成部１６は、表示側の描画生成部３６の表示形式情報を接続ケーブル５０を介して受け取り、受け取った表示側の表示形式情報に基づく表示形式の再生側描画データを生成し、再生装置１０が、生成した再生側描画データを含むコンテンツデータを接続ケーブル５０を介してＴＶ受信機３０に供給し、ＴＶ受信機３０が、供給された再生側描画データに基づいた描画画像を提示する。また、逆に、表示側の描画生成部３６は、再生側の描画生成部１６の表示形式情報を接続ケーブル５０を介して受け取り、受け取った再生側の表示形式情報に基づく表示形式の表示側描画データを生成し、ＴＶ受信機３０が、生成した表示側描画データに基づいた描画画像を提示する。
【００４０】
なお、ここでは、切替部３２による選択の切り替え時における表示形式情報のやり取りについて説明したが、このような切り替え時に限定されず、例えば、次のようなタイミングで表示形式情報をやり取りするような処理手段を含めてもよい。すなわち、他の処理として、再生装置１０側の電源が投入されるなどして起動されたとき、再生装置１０側の制御部１９が、ＴＶ受信機３０側の制御部３９により保持された表示形式情報を取り込む。また、その他の処理として、ＴＶ受信機３０側の制御部３９がデジタル外部入力端子に接続された再生装置１０を検知したとき、制御部３９が再生装置１０側の制御部１９に表示形式情報を送出する。また、その他の処理として、所定の期間を設け、この期間ごとに定期的に、再生装置１０側の制御部１９が、ＴＶ受信機３０側の制御部３９により保持された表示形式情報を取り込む。また、その他の処理として、所定の期間ごとに、ＴＶ受信機３０側の制御部３９が再生装置１０側の制御部１９に表示形式情報を送出する。また、その他の処理として、ＴＶ受信機３０側の制御部３９がコンテンツ、受信チャンネルあるいはメニュー画面でのユーザ設定などの変更を検知し、この検知したタイミングで、制御部３９が再生装置１０側の制御部１９に表示形式情報を送出する。本視聴システムは、以上のような処理を実行する手段の一部あるいは全部を含めた構成であってもよい。
【００４１】
また、詳細については以下で説明するが、本視聴システムでは、このような表示形式情報のやり取りを実行する機能に加えて、リモコン装置４０と描画画像の１つであるメニュー画面とを利用して、このような表示形式情報を設定可能な構成としている。このため、描画画像の表示形式をそれぞれの装置に対して設定する必要はなく、ユーザが好む表示形式を維持しながら各装置の描画画像を表示していくことができる。
【００４２】
次に、上述した描画画像の１つであるメニュー画面について説明する。図２は、本実施の形態における視聴システムのメニュー画面の一例を示した図である。図２（ａ）は、ＴＶ受信機３０の描画生成部３６で生成したメニュー画面の一例を示しており、また、図２（ｂ）は、再生装置１０の描画生成部１６で生成したメニュー画面の一例を示している。また、図２では、このようなメニュー画面として、リモコン装置４０からの呼び出しにより表示される主メニュー画面と、主メニュー画面に対する選択操作に応じて表示する副メニュー画面とを示している。主メニュー画面は、対応する装置の主な機能を選択するための複数の選択ボタン画像を含んでいる。また、ユーザが、このような複数の選択ボタン画像の中から所望の機能を選択することにより、その機能に対応した副メニュー画面が表示される。図２（ａ）では、ＴＶ受信機３０に対応した主メニュー画面３６０と副メニュー画面３６１、図２（ｂ）では、再生装置１０に対応した主メニュー画面１６０と副メニュー画面１６１とを示している。
【００４３】
本視聴システムにおいて、例えばリモコン装置４０に配置された「ＴＶメニュー表示」のキーを操作するなど、メニュー画面を表示させるような指示操作をすると、まず、図２（ａ）に示すように、ＴＶ受信機３０の操作に関する主メニュー画面３６０がオンスクリーン表示される。ここでは、主メニュー画面３６０のように、ＴＶ受信機３０に対する操作機能として「映像設定」「音声設定」「初期設定」「メニュー設定」の選択ボタン画像が表示されるような例を挙げている。さらに、図２（ａ）では、図２（ｂ）に示す再生装置１０に対応した主メニュー画面１６０を呼び出して表示させる「再生装置の操作」というような選択ボタン画像も含む例を挙げている。ユーザは、リモコン装置４０に対し、上下移動を指示する「上」「下」キーを利用して、所望の機能の選択ボタン画像を選択する。図２（ａ）では、このような操作により、「メニュー設定」の選択ボタン画像が選択された場合を示している。次に、ユーザが、リモコン装置４０に対し、決定を示す「決定」キーを押すと、メニュー設定のための副メニュー画面３６１が表示される。図２（ａ）では、「メニュー設定」に対する副メニュー画面３６１として、このようなメニュー画面の表示形式をユーザの好みなどに応じて変更できるような機能を提供する画面の一例を示している。ユーザは、さらに、リモコン装置４０の移動キーなどを操作して、副メニュー画面３６１上の選択画像を選択し、所望の機能を設定する。例えば、ユーザが、このような操作により、副メニュー画面３６１上の「位置」および「左」を選択し、リモコン装置４０の「決定」キーを押下すると、制御部３９は、メニュー画面を表示画面上の左側にオンスクリーン表示するよう指示されたと判定する。さらに、制御部３９は、表示形式情報に含まれる表示位置情報などとして、「左に表示」とするような情報を保存するとともに、描画生成部１６に通知する。このような処理が実行され、これ以降、図２（ａ）に示す主メニュー画面３６０および副メニュー画面３６１は、ディスプレイ４２の表示画面の左側に表示される。なお、再生装置１０およびＴＶ受信機３０間の表示形式情報のやり取りについて説明したように、このようなメニュー画面でユーザ設定を変更するタイミングを利用して表示形式情報を通知するような構成としてもよい。すなわち、ＴＶ受信機３０側の制御部３９が、まず、メニュー画面でのユーザ設定が変更されたことを検知する。これに基づき、制御部３９は、制御部３９が保持する表示形式情報を、あるいは図２（ａ）のように表示形式情報そのものが変更された場合にはその変更された表示形式情報を、再生装置１０の制御部１９に送出する。このようにして、表示形式情報が再生装置１０側に通知される構成としてもよい。また、制御部３９が、ユーザ設定の変更のタイミングで、ユーザ設定や表示形式情報の変更があったことを再生装置１０側の制御部１９に通知し、これに応答して、制御部１９が、表示形式情報を取り込むような構成であってもよい。
【００４４】
また、本視聴システムにおいて、ユーザが、図２（ａ）に示す「再生装置の操作」の選択ボタン画像を選択すると、再生装置１０からの映像に切り替わるとともに、図２（ｂ）に示す主メニュー画面１６０がオンスクリーン表示される。すなわち、「再生装置の操作」の選択により、ＴＶ受信機３０側の制御部３９から再生装置１０側の制御部１９に対して、描画生成部１６が生成するメニュー画面、すなわち主メニュー画面１６０のオンスクリーン表示を要求するコマンドが送出される。これに応答して、制御部１９は、合成部１５から主メニュー画面１６０がオンスクリーン表示された合成映像データが出力されるよう制御する。そして、合成映像データを含むコンテンツデータが、ＡＶケーブル５７を介してＴＶ受信機３０に供給され、このような合成映像データに対応した主メニュー画面１６０を含む映像がディスプレイ４２に表示される。この後、上述のＴＶ受信機３０の操作に関する場合と同様な操作を行うことで再生装置１０に対する設定ができる。なお、図２（ａ）のようなＴＶ受信機３０側でのメニュー画面によりユーザ設定を変更した場合と同様に、図２（ｂ）のような再生装置１０側でのメニュー画面によりユーザ設定を変更した場合においても、この変更したタイミングを利用して表示形式情報を通知する構成としてもよい。すなわち、再生装置１０側の制御部１９が、まず、メニュー画面でのユーザ設定が変更されたことを検知する。これに基づき、制御部１９は、制御部１９が保持する表示形式情報を、あるいは図２（ｂ）のように表示形式情報そのものが変更された場合にはその変更された表示形式情報を、ＴＶ受信機３０の制御部３９に送出する。このようにして、表示形式情報がＴＶ受信機３０側に通知される構成としてもよい。また、制御部１９が、ユーザ設定の変更のタイミングで、ユーザ設定や表示形式情報の変更があったことをＴＶ受信機３０側の制御部３９に通知し、これに応答して、制御部３９が、表示形式情報を取り込むような構成であってもよい。
【００４５】
なお、ここではメニュー設定のための副メニュー画面を利用し、メニュー画面自身の表示形式を設定するような例を挙げて説明したが、ＥＰＧ画面や操作一覧表画面などの描画画像の表示形式なども含めて設定するような構成であってもよい。また、描画画像の種別に応じた表示形式設定のための副メニュー画面を表示するような構成であってもよい。
【００４６】
本実施の形態の視聴システムは、このように、リモコン装置４０と図２に示したようなメニュー画面を用いて、メニュー画面自身などの描画画像の表示形式を設定できるため、ユーザの好みに応じた描画画像を映像上に表示できる。すなわち、例えば、メニュー画面の字が小さいと感じるユーザが文字のサイズを大きくしたり、逆に、詳しい内容表示を望むユーザが、文字を小さくして詳しく表示したりすることができる。このように、本視聴システムは、ユーザの視認性に応じたメニュー画面を設定することができる。
【００４７】
また、本視聴システムは、例えば、入力切り替え時、すなわちＴＶ受信機３０が内蔵するチューナ部３１からのコンテンツデータと再生装置１０から外部入力されたコンテンツデータとの切り替え時、あるいはメニュー画面によりユーザ設定を変更したときなどにおいて、最終の表示形式情報を制御部間で通知し保存する構成であるため、ユーザが好む表示形式を維持しながら各装置の描画画像を表示していくことができる。すなわち、例えば、図２（ａ）で示したような副メニュー画面３６１によりＴＶ受信機３０側のメニュー画面の位置を左に設定すると、図２（ｂ）で示した再生装置１０側のメニュー画面を呼び出したときも表示画面上の左に表示される。このため、それぞれの装置に対して表示形式を設定する必要がなく、ユーザの手間を省くことができる。
【００４８】
以上、本実施の形態の視聴システムは、上述したような構成により、ＴＶ受信機３０に付属のリモコン装置４０のみを用いて、再生装置１０のメニュー画面などの諸操作が可能となるため、ユーザはＴＶ受信機３０自身の操作であるか再生装置１０の操作であるかを意識することなく、また、どの外部装置のリモコン装置に持ち替えて操作すればよいかといった煩雑な判断をすることなく、再生装置１０などの外部装置の操作が可能となる。また、本視聴システムは、ユーザがメニュー画面などの表示形式を好みに応じて設定できる。さらに、本視聴システムは、ユーザがこのような表示形式を再生装置１０などそれぞれの外部装置に対して設定する必要なく、設定した表示形式がＴＶ受信機３０自身や外部装置に反映されるような構成であるため、煩雑な操作なしにユーザが好むメニュー画面を表示することができる。
【００４９】
次に、以上のように構成された本視聴システムの詳細な動作について説明する。
【００５０】
図３は、本実施の形態の視聴システムにおけるＴＶ受信機３０の制御部３９が実行するリモコン処理の処理手順を示すフローチャートである。また、図４は、本実施の形態の視聴システムにおける再生装置１０の制御部１９が実行するメニュー処理の処理手順を示すフローチャートである。
【００５１】
以下、図３および図４を参照しながら、本視聴システムのリモコン処理およびメニュー処理において、本発明の特徴とする表示形式情報に関する処理を中心に、本視聴システムの動作について説明する。なお、図３および図４では、入力切り替え時に、再生装置１０およびＴＶ受信機３０間でメニュー画面の表示形式情報を通知するような一例を挙げて説明する。また、本視聴システムの特徴をわかりやすく説明するため、図３および図４では、リモコンコードが入力切替を示すコードであるかどうかをまず判定し、入力切替を示すコードの場合、表示形式情報を通知するような一例を示しているが、ユーザ設定を変更したときに表示形式情報を通知するなど、上述したような表示形式情報を通知するタイミングに応じて適宜手順を変更してもよい。
【００５２】
本視聴システムにおいて、ユーザがリモコン装置４０を操作すると、リモコン装置４０はその操作に応じたリモコンコードを示すリモコン信号をＴＶ受信機３０に対して送信する。リモコン信号はリモコン受信部３４で受信され、リモコン信号のリモコンコードが制御部３９に通知される。制御部３９は、リモコンコードが通知されると、図３に示すような処理を開始する。
【００５３】
ＴＶ受信機３０の制御部３９は、まず、取り込んだリモコンコードの判定を行う。すなわち、制御部３９は、リモコンコードが入力切替を示すコードであるかどうかを判定し、入力切替を示すコードの場合、上述したような表示形式情報を通知するような処理も含めた処理を実行する。図３に示すように、制御部３９は、リモコンコードの判定において、入力切替を示すコードではない場合、ステップＳ３４０の処理に進み、入力切替を示すコードである場合、ステップＳ３２０の処理に進む（ステップＳ３００）。制御部３９は、ステップＳ３４０の処理に進むと、リモコンコードにおいて、ＴＶ受信機３０に対するコードか、あるいは再生装置１０に対するコードかを判定する。制御部３９は、ＴＶ受信機３０に対するコードであると判定すると、ステップＳ３４２の処理に進み、再生装置１０に対するコードであると判定すると、ステップＳ３６０の処理に進む（ステップＳ３４０）。
【００５４】
ステップＳ３６０の処理に進むと、制御部３９は、取り込んだリモコンコードを再生装置１０側に送出し、リモコン処理を終了する（ステップＳ３６０）。すなわち、制御部３９は、ステップＳ３００およびステップＳ３４０において、リモコン受信部３４から通知されたリモコンコードを解析し、このリモコンコードが再生装置１０に対するリモコンコードであると特定すると、ステップＳ３６０において、このリモコンコードを制御データＩ／Ｆ部３８、制御ケーブル５８を介して再生装置１０へと送出する。また、再生装置１０の制御部１９は、制御部３９からこのようなリモコンコードを受け取ると、そのリモコンコードに対応した処理や制御を実行する。このようして、ＴＶ受信機３０に向けてのリモコン装置４０ひとつのみの操作により、再生装置１０に対する操作や各種の設定なども行うことができる。
【００５５】
また、ステップＳ３４２の処理に進むと、制御部３９は、取り込んだリモコンコードが図２（ａ）に示したようなＴＶ受信機３０側のメニュー画面表示を指示するコードであるかどうかを判定し、メニュー画面表示を指示するコードである場合、ステップＳ３４４の処理に進み、メニュー画面表示を指示するコードではない場合、ステップＳ３５０の処理に進む（ステップＳ３４２）。ステップＳ３４４の処理に進むと、制御部３９は、描画生成部３６に対してメニュー画面の描画データを生成するよう指示し、合成部３５に対して描画生成部３６が生成した描画データを合成するよう指示し、リモコン処理を終了する（ステップＳ３４４）。このようにして、チューナ部３１による映像にＴＶ受信機３０側のメニュー画面がオンスクリーン表示された合成映像がディスプレイ４２に表示される。
【００５６】
また、ステップＳ３５０の処理に進むと、制御部３９は、ＴＶ受信機３０側のメニュー画面を表示中であるかどうかを判定し、表示中である場合にはステップＳ３５２の処理に進み、表示中でない場合にはステップＳ３５８の処理に進む（ステップＳ３５０）。ステップＳ３５８の処理に進むと、制御部３９は、例えばチャンネル選択や音量変更など、取り込んだリモコンコードに対応したＴＶ受信機３０側の操作制御を行い、リモコン処理を終了する（ステップＳ３５８）。
【００５７】
また、ステップＳ３５２の処理に進むと、この場合ＴＶ受信機３０側のメニュー画面が表示されているため、制御部３９は、ＴＶ受信機３０側のメニュー画面の操作制御を行う（ステップＳ３５２）。すなわち、制御部３９は、取り込んだリモコンコードとそのメニュー画面とで対応づけられた操作が実行されるよう制御する。例えば、図２（ａ）に示すように、「メニュー設定」の選択ボタン画像が選択されており、この次に「決定」を示すリモコンコードが通知されると、制御部３９は、メニュー画面の表示形式を設定する副メニュー画面の表示を指示されたと判定し、図２（ａ）に示すような副メニュー画面３６１を表示するよう制御する。
【００５８】
次に、ステップＳ３５４の処理に進むと、制御部３９は、取り込んだリモコンコードが、ＴＶ受信機３０側のメニュー画面に対して図２（ａ）に示したような表示形式を設定する操作に対応したコードであるかどうかを判定し、表示形式を設定する操作に対応したコードである場合ステップＳ３５６の処理に進み、表示形式を設定する操作に対応したコードではない場合、リモコン処理を終了する（ステップＳ３５４）。制御部３９は、ステップＳ３５６の処理に進むと、表示形式を設定する操作により変更された表示形式情報を、新たなＴＶ受信機３０側、すなわち表示側の表示形式情報としてメモリなどに保存し、リモコン処理を終了する（ステップＳ３５６）。
【００５９】
なお、以上、ステップＳ３４２において、制御部３９がＴＶ受信機３０側のメニュー画面表示を指示するリモコンコードであるかどうかを判定するのみで、その判定結果に応じてそれぞれのＴＶ受信機３０側の処理を実行するような例を挙げて説明したが、例えば、次のような判定ステップも含めた手順としてもよい。すなわち、ステップＳ３４２の判定とともに、切替部３２でＴＶ受信機３０側と再生装置１０側とのいずれのコンテンツデータが選択されているかを判定し、ＴＶ受信機３０側が選択されている場合には、ＴＶ受信機３０側のメニュー画面に対応したリモコンコードとして動作し、再生装置１０側が選択されている場合には、そのリモコンコードを制御ケーブル５８など介して再生装置１０へと送出するよう制御部３９が制御するような手順を含めてもよい。さらに、切替部３２で再生装置１０側のコンテンツデータが選択され、再生装置１０側のメニュー画面を表示している場合であっても、ＴＶ受信機３０側のメニュー画面が一番上に表示されるなどフォーカスされている場合には、ＴＶ受信機３０側のメニュー画面に対応したリモコンコードとして動作するよう制御部３９が制御するような手順を含めてもよい。
【００６０】
次に、ステップＳ３００において、取り込んだリモコンコードが、チューナ部３１からのコンテンツデータと再生装置１０から外部入力されたコンテンツデータとの切り替えを指示する入力切替のコードであると判定した場合、制御部３９は次のような処理を行う。
【００６１】
まず、制御部３９は、この入力切替がＴＶ受信機３０側から再生装置１０側への切り替えであるか、再生装置１０側からＴＶ受信機３０側への切り替えであるかの切替方向を判定する（ステップＳ３２０）。制御部３９は、入力切替がＴＶ受信機３０側から再生装置１０側への切り替えであると判定すると、ステップＳ３２２の処理に進み、入力切替が再生装置１０側からＴＶ受信機３０側への切り替えであると判定すると、ステップＳ３３２の処理に進む。
【００６２】
また、ステップＳ３２２の処理に進むと、制御部３９は、再生装置１０から供給されるコンテンツデータに切り替え、そのコンテンツデータによる映像や音声を提示するような制御を行う（ステップＳ３２２）。すなわち、制御部３９は、切替部３２に対して、再生装置１０からＡＶデータＩ／Ｆ部３７に供給されたコンテンツデータを選択するよう指示し、これによって、再生装置１０で再生されたコンテンツがＴＶ受信機３０から提示される。さらに、制御部３９は、ステップＳ３２４の処理に進み、制御部３９が保持するＴＶ受信機３０側、すなわち表示側のメニュー画面の表示形式情報を、再生装置１０側の制御部１９に送出し、リモコン処理を終了する（ステップＳ３２４）。
【００６３】
また、ステップＳ３３２の処理に進むと、制御部３９は、チューナ部３１から供給されるコンテンツデータに切り替え、そのコンテンツデータによる映像や音声を提示するような制御を行う（ステップＳ３３２）。すなわち、制御部３９は、切替部３２に対して、チューナ部３１からのコンテンツデータを選択するよう指示し、これによって、チューナ部３１で受信したコンテンツがＴＶ受信機３０に提示される。さらに、制御部３９は、ステップＳ３３４の処理に進み、再生装置１０の制御部１９が保持する再生装置１０側、すなわち再生側のメニュー画面の表示形式情報を取得し、リモコン処理を終了する（ステップＳ３３４）。
【００６４】
次に、再生装置１０において、制御部１９が実行するメニュー処理について、図４を参照しながら説明する。
【００６５】
まず、図３のステップＳ３６０で説明したように、ＴＶ受信機３０に対して再生装置１０側に関連するリモコンコードが制御部３９に通知されると、このリモコンコードは、制御データＩ／Ｆ部３８、制御ケーブル５８を介して、再生装置１０の制御部１９へと送出される。図４では、制御部１９へと送出されるリモコンコードとして、ＴＶ受信機３０における入力切替のリモコンコードも含めたリモコンコードが送出されるような一例を挙げている。
【００６６】
再生装置１０の制御部１９は、ＴＶ受信機３０の制御部３９からリモコンコードを受け取ると、まず、受け取ったリモコンコードの判定を行う。すなわち、制御部１９は、リモコンコードが入力切替を示すコードであるかどうかを判定し、入力切替を示すコードの場合、上述したような表示形式情報を通知するような処理も含めた処理を実行する。図４に示すように、制御部１９は、リモコンコードの判定において、入力切替を示すコードではない場合、ステップＳ１４２の処理に進み、入力切替を示すコードである場合、ステップＳ１２０の処理に進む（ステップＳ１００）。
【００６７】
ステップＳ１４２の処理に進むと、制御部１９は、取り込んだリモコンコードが図２（ｂ）に示したような再生装置１０側のメニュー画面表示を指示するコードであるかどうかを判定し、メニュー画面表示を指示するコードである場合、ステップＳ１４４の処理に進み、メニュー画面表示を指示するコードではない場合、ステップＳ１５０の処理に進む（ステップＳ１４２）。ステップＳ１４４の処理に進むと、制御部１９は、描画生成部１６に対してメニュー画面の描画データを生成するよう指示し、合成部１５に対して描画生成部１６が生成した描画データを合成するよう指示し、リモコン処理を終了する（ステップＳ１４４）。このようにして、再生部１１で再生された映像データに再生装置１０側のメニュー画面の描画データが合成された合成映像データが生成される。
【００６８】
また、ステップＳ１５０の処理に進むと、制御部１９は、再生装置１０側のメニュー画面を表示中であるかどうかを判定し、表示中である場合にはステップＳ１５２の処理に進み、表示中でない場合にはステップＳ１５８の処理に進む（ステップＳ１５０）。ステップＳ１５８の処理に進むと、制御部１９は、通知されたリモコンコードに対応した再生装置１０側の操作制御を行い、リモコン処理を終了する（ステップＳ１５８）。
【００６９】
また、ステップＳ１５２の処理に進むと、この場合、ＴＶ受信機３０のディスプレイ４２には再生装置１０側のメニュー画面が表示されているため、制御部１９は、再生装置１０側のメニュー画面の操作制御を行う（ステップＳ１５２）。すなわち、制御部１９は、通知されたリモコンコードとそのメニュー画面とで対応づけられた操作が実行されるよう制御する。例えば、図２（ｂ）に示すように、「メニュー設定」の選択ボタン画像が選択されており、この次に「決定」を示すリモコンコードが通知されると、制御部１９は、表示形式を設定する副メニュー画面の表示を指示されたと判定し、図２（ｂ）に示すような副メニュー画面１６１を表示するよう制御する。
【００７０】
次に、ステップＳ１５４の処理に進むと、制御部１９は、取り込んだリモコンコードが、再生装置１０側のメニュー画面に対して図２（ｂ）に示したような表示形式を設定する操作に対応したコードであるかどうかを判定し、表示形式を設定する操作に対応したコードである場合ステップＳ１５６の処理に進み、表示形式を設定する操作に対応したコードではない場合、リモコン処理を終了する（ステップＳ１５４）。制御部１９は、ステップＳ１５６の処理に進むと、表示形式を設定する操作により変更された表示形式情報を、新たな再生装置１０側、すなわち再生側のメニュー画面の表示形式情報としてメモリなどに保存し、リモコン処理を終了する（ステップＳ１５６）。
【００７１】
次に、ステップＳ１００において、通知されたリモコンコードが、入力切替のコードであると判定した場合、制御部１９は次のような処理を行う。
【００７２】
まず、制御部１９は、この入力切替がＴＶ受信機３０側から再生装置１０側への切り替えであるか、再生装置１０側からＴＶ受信機３０側への切り替えであるかの切替方向を判定する（ステップＳ１２０）。制御部１９は、入力切替がＴＶ受信機３０側から再生装置１０側への切り替えであると判定すると、ステップＳ１２２の処理に進み、入力切替が再生装置１０側からＴＶ受信機３０側への切り替えであると判定すると、ステップＳ１３２の処理に進む。
【００７３】
また、ステップＳ１２２の処理に進むと、制御部１９は、再生部１１に対して再生を開始するような指示、あるいは描画生成部１６に対して再生の準備が完了したことをユーザに知らせるような描画データの生成を指示するなどの制御を行う（ステップＳ１２２）。さらに、制御部１９は、ステップＳ１２４の処理に進み、ＴＶ受信機３０の制御部３９が保持するＴＶ受信機３０側、すなわち表示側のメニュー画面の表示形式情報を取得し、リモコン処理を終了する（ステップＳ１２４）。
【００７４】
また、ステップＳ１３２の処理に進むと、制御部１９は、再生部１１に対して再生を停止するような指示などの制御を行う（ステップＳ１３２）。さらに、制御部１９は、ステップＳ１３４の処理に進み、制御部１９が保持する再生装置１０側、すなわち再生側のメニュー画面の表示形式情報を、ＴＶ受信機３０側の制御部３９に送出し、リモコン処理を終了する（ステップＳ１３４）。
【００７５】
本実施の形態の視聴システムは、ユーザがリモコン操作やメニュー画面に対する操作を行うことに応答して、以上のような処理を実行する。特に、本実施の形態の視聴システムは、ユーザがリモコン装置４０により入力切替を指示するのに応じて、図３および図４で例示したように、ＴＶ受信機３０および再生装置１０間で表示形式情報の受け渡しを行う。
【００７６】
すなわち、入力切替がＴＶ受信機３０側から再生装置１０側への切り替えである場合には、ＴＶ受信機３０の制御部３９は、図３のステップＳ３２４で示したように制御部３９が保持するＴＶ受信機３０側の表示形式情報を、再生装置１０側の制御部１９に送出するとともに、図４のステップＳ１２４で示したように再生装置１０側の制御部１９は、制御部３９が送出したこの表示形式情報を取得する。このような処理が実行されることにより、ＴＶ受信機３０によるメニュー画面の表示形式が、再生装置１０によるメニュー画面の表示形式に反映されることになる。
【００７７】
また、逆に、入力切替が再生装置１０側からＴＶ受信機３０側への切り替えである場合には、再生装置１０の制御部１９は、図４のステップＳ１３４で示したように制御部１９が保持する再生装置１０側の表示形式情報を、ＴＶ受信機３０側の制御部３９に送出するとともに、図３のステップＳ３３４で示したようにＴＶ受信機３０側の制御部３９は、制御部１９が送出したこの表示形式情報を取得する。このような処理が実行されることにより、再生装置１０によるメニュー画面の表示形式が、ＴＶ受信機３０によるメニュー画面の表示形式に反映されることになる。
【００７８】
次に、本視聴システムにおける各種の表示形式により設定されたメニュー画面について、具体例を挙げて説明する。
【００７９】
図５は、メニュー画面の位置に関する表示形式に従った表示の一例を示す図である。図５に示す副メニュー画面３６１において、メニュー画面の表示位置を設定する「位置」の選択ボタン画像を選択し、さらに、「左」、「右」、「上」および「下」からいずれかを選択し、リモコン装置４０の「決定」ボタンを押下すると、この設定後、メニュー画面は、ディスプレイ４２上の設定された位置に表示される。図５では、「左」に設定した例を挙げており、図５に示すように主メニュー画面３６０がディスプレイ４２の左側に表示される。このような、メニュー画面の表示位置を設定可能とすることにより、ユーザが見やすい位置にメニュー画面を表示させることができる。なお、例えば、左右に表示する場合にはメニュー画面を縦長にし、上下に表示する場合にはメニュー画面を横長にして、表示中の映像の隠蔽箇所をより少なくするような表示形式を加えてもよい。
【００８０】
図６は、メニュー画面の大きさに関する表示形式に従った表示の一例を示す図である。図６に示す副メニュー画面３６１において、メニュー画面の大きさを設定する「大きさ」の選択ボタン画像を選択し、さらに、「大」、「中」および「小」からいずれかを選択し、リモコン装置４０の「決定」ボタンを押下すると、この設定後、メニュー画面は、設定された大きさで表示される。図６では、「大」に設定した例を挙げており、図６に示すように主メニュー画面３６０が大きく表示される。このような、メニュー画面の大きさを設定可能とすることにより、ユーザが見やすい大きさでメニュー画面を表示させることができる。
【００８１】
図７は、メニュー画面の文字サイズに関する表示形式に従った表示の一例を示す図である。図７に示す副メニュー画面３６１において、メニュー画面の文字サイズの大きさを設定する「文字サイズ」の選択ボタン画像を選択し、さらに、「大」、「中」および「小」からいずれかを選択し、リモコン装置４０の「決定」ボタンを押下すると、この設定後、メニュー画面の文字サイズは、設定された大きさの文字サイズで表示される。図７では、「小」に設定した例を挙げており、図７に示すように主メニュー画面３６０の文字が小さく表示される。それとともに、文字が小さくなったことにより空いたスペースに、簡単な説明の文字が表示される。このように、メニュー画面の文字の大きさを設定可能とすることにより、例えばメニュー画面の字が小さいと感じるユーザが文字のサイズを大きくするなど、ユーザが見やすい大きさの文字でメニュー画面を表示させることができる。さらに、詳しい内容表示を望むユーザが文字を小さくして詳しく表示するなど、表示する文字の大きさに応じて、説明文の追加の有無なども変更できる。
【００８２】
図８は、メニュー画面の表示内容に関する表示形式に従った表示の一例を示す図である。図８に示す副メニュー画面３６１において、メニュー画面の表示内容の詳しさの程度である詳細度を設定する「表示内容」の選択ボタン画像を選択し、さらに、「詳細」および「概略」からいずれかを選択し、リモコン装置４０の「決定」ボタンを押下すると、この設定後、メニュー画面の表示内容は、設定された詳しさの程度で表示される。図８では、「詳細」に設定した例を挙げており、図８に示すように主メニュー画面３６０に詳細な形式で文字が表示される。このような、メニュー画面の表示内容の詳しさの程度を設定可能とすることにより、ユーザの熟知度などに応じたメニュー画面を表示させることができる。
【００８３】
なお、図５から図８までにおいて、主メニュー画面３６０の例のみ挙げたが、副メニュー画面はこのような設定に応じて見やすいように表示すればよい。また、図５から図８までにおいては、ＴＶ受信機３０の描画生成部３６で生成されたメニュー画面の例を挙げているが、再生装置１０の描画生成部１６も同様のメニュー画面を生成するような構成とすればよい。
【００８４】
図５から図８までに例示したように、本視聴システムは、メニュー画面の表示形式を設定できる構成であるため、ユーザの好みに合わせたメニュー画面を表示できる。特に、メニュー画面の表示位置や大きさに加えて、文字サイズや表示内容の詳しさの程度なども設定できるため、よりユーザの嗜好に合わせたメニュー画面の表示が可能となる。また、上述したように、本視聴システムは、メニュー画面の表示形式を設定する表示形式情報をＴＶ受信機３０および再生装置１０のそれぞれが保持し、変更された表示形式情報を相互間で受け渡しするような構成である。このため、ＴＶ受信機３０と再生装置１０とのいずれかのメニュー画面で設定された表示形式は、互いに反映されるため、ユーザの嗜好に合わせたメニュー画面が、ＴＶ受信機３０側あるいは再生装置１０側のコンテンツ選択に関係なく表示される。
【００８５】
以上説明したように、本発明の実施の形態における視聴システムは、描画画像を所定の表示形式でオンスクリーン表示するＴＶ受信機３０と、再生するコンテンツのコンテンツデータを含むデータをＴＶ受信機３０に供給する再生装置１０とを、接続ケーブル５０を介してデータ接続した視聴システムである。また、ＴＶ受信機３０は、オンスクリーン表示する表示形式に従った描画画像の表示側描画データを生成する表示側の描画生成部３６を備え、再生装置１０は、ＴＶ受信機３０に表示させるための表示形式に従った描画画像の再生側描画データを生成する再生側の描画生成部１６を備える。そして、再生側の描画生成部１６は、描画生成部３６の表示側の表示形式情報を接続ケーブル５０を介して受け取り、受け取った表示側の表示形式情報に基づく表示形式の再生側描画データを生成し、再生装置１０が、生成した再生側描画データを含むコンテンツデータを接続ケーブル５０を介してＴＶ受信機３０に供給し、ＴＶ受信機３０が、供給された再生側描画データに基づいた描画画像を提示する構成である。さらに、表示側の描画生成部３６は、描画生成部１６の再生側の表示形式情報を接続ケーブル５０を介して受け取り、受け取った再生側の表示形式情報に基づく表示形式の表示側描画データを生成し、ＴＶ受信機３０が、生成した表示側描画データに基づいた描画画像を提示する構成である。
【００８６】
本発明の実施の形態における視聴システムは、このような構成としているため、メニュー画面のような描画画像の生成において、再生側の描画生成部１６が、表示側の描画生成部３６の表示形式に基づいた表示形式の描画データを生成する。また、表示側の描画生成部３６が、再生側の描画生成部１６の表示形式に基づいた表示形式の描画データを生成する。このため、表示側であるＴＶ受信機３０と再生側である再生装置１０との描画画像の位置、形状やサイズなどを揃えることが可能となり、これによって、ユーザが認識しやすいメニュー画面を表示できるとともに、ユーザに対する操作性の向上を図った視聴システムを提供することができる。
【産業上の利用可能性】
【００８７】
本発明は、ＴＶ受信機のリモコン装置のみを用いて再生装置などの外部装置を操作できるとともに、ユーザの視認性に応じたメニュー画面をそれぞれの装置に対して設定する必要なく設定できるため、例えば、ＴＶ受信機や表示装置とそれに接続する再生装置、記録再生装置、カメラ装置、パーソナルコンピュータやオーディオ装置その他とで構成される視聴システムに利用することが可能である。
【図面の簡単な説明】
【００８８】
【図１】本発明の実施の形態における視聴システムの構成を示すブロック図
【図２】同視聴システムのメニュー画面の一例を示した図
【図３】同視聴システムにおけるＴＶ受信機の制御部が実行するリモコン処理の処理手順を示すフローチャート
【図４】同視聴システムにおける再生装置の制御部が実行するメニュー処理の処理手順を示すフローチャート
【図５】メニュー画面の位置に関する表示形式に従った表示の一例を示す図
【図６】同大きさに関する表示形式に従った表示の一例を示す図
【図７】同文字サイズに関する表示形式に従った表示の一例を示す図
【図８】同表示内容に関する表示形式に従った表示の一例を示す図
【図９】従来のＴＶ情報表示システムの構成図
【符号の説明】
【００８９】
１０    再生装置
１１    再生部
１５，３５    合成部
１６    描画生成部（再生側描画生成部）
１７，３７    ＡＶデータＩ／Ｆ部
１８，３８    制御データＩ／Ｆ部
１９，３９    制御部
２０    記録メディア
３０，９２    ＴＶ受信機
３１    チューナ部
３２    切替部
３３    提示処理部
３４    リモコン受信部
３６    描画生成部（表示側描画生成部）
４０    リモコン装置
４１    スピーカ
４２    ディスプレイ
５０    接続ケーブル
５７    ＡＶケーブル
５８    制御ケーブル
９３    情報処理装置
９４    情報通信線
９７    リモコン部
１６０，３６０    主メニュー画面
１６１，３６１    副メニュー画面
１９１，３９１    ユーザ操作部
９２５    情報表示部
９２６    放送受信部
９２７，９３４    情報通信部
９３１    情報収集部
９３２    映像生成部
９３３    映像出力部
【図１】
2008288823.tif 000003
【図２】
2008288823.tif 000004
【図３】
2008288823.tif 000005
【図４】
2008288823.tif 000006
【図５】
2008288823.tif 000007
【図６】
2008288823.tif 000008
【図７】
2008288823.tif 000009
【図８】
2008288823.tif 000010
【図９】
2008288823.tif 000011